(57)【要約】【課題】  立刃を両側の受刃と並列に配置した場合、切り替え刃を両側の受刃に簡単かつ確実に切り替え、立刃と受刃に圧接保持できる。【解決手段】  中央の立刃２と、その両側の一対の導電性受刃３と、立刃に中央を作動軸５に協動可能に軸支しかつ両側を受刃に投入可能とした切り替え刃４と、前記切り替え刃４を軸支する作動軸に付勢手段１０とカム手段１１を備え、切り替え刃の両側には切り替え刃との協動を保持及び解除可能なトグルリンク１８を備えた締付けレバー１７を軸支し、該軸に付勢手段１９とカム手段２０と備え、操作レバーと協動可能に設けた作動レバーに中央を軸支し両端を両側の締付けレバー１７と連動可能に備えた連結部材２４と、前記一対の受刃にはトグルリンクを衝接させて切り替え刃と締付けレバーとの協動を解除するためのストッパー７を備えた切り替え断路器。【選択図】    図３
2006236680.tif 000002
【特許請求の範囲】
【請求項１】
中央の導電性立刃と、
その両側に並列に配置した一対の導電性受刃と、
前記立刃と両側の受刃の前後に接触可能な二枚の導電性刃体で、中央を前記立刃に回動自由に軸支しかつ操作レバーにより回動可能とした作動軸と協動可能に備えかつ両側を受刃に投入可能とした切り替え刃と、
前記切り替え刃は、前記立刃に軸支する作動軸に刃体を立刃に圧接するための付勢手段とカム手段とを備え、かつ両側の受刃に投入する位置に軸支した軸に切り替え刃との協動を保持及び解除可能なトグルリンクを備えた締付けレバーを軸支し、該軸に付勢手段と、該締付けレバーの回動時前記刃体を受刃に圧接可能なカム手段とを備えたものであり、
前記操作レバーと協動可能に設けた作動レバーに中心を軸支しかつ前記切り替え刃とほぼ平行として両端を両側の締付けレバーと連動可能に備えた連結部材と、
前記一対の受刃には切り替え刃の投入側のトグルリンクを衝接させて切り替え刃と締付けレバーとの協動を解除するためのストッパーとを備え、
操作レバーにより立刃を支点として前記切り替え刃を左右いずれかに回動して受刃に投入時、切り替え刃の中央部をカム手段で立刃に圧接すると同時に切り替え刃の受刃に投入する側のトグルリンクをストッパーで解除後締付けレバーだけを回動可能としてカム手段で切り替え刃を受刃に圧接可能としたことを特徴とする切り替え断路器。
【請求項２】
前記トグルリンクは、一端が前記切り替え刃に支持ピンで枢支された第１トグルレバーと、
一端が前記第１トグルレバーの他端に折曲げ自由に結節され、かつ前記締付けレバーの一端に設けた作用ピンが摺動自由に挿入される所定長さの長孔を有する第２トグルレバーと、
前記切り替え刃に一端を保持しかつ他端を前記第１トグルレバーに掛けて常時元に戻す方向に付勢する付勢手段とを備えたものである請求項１に記載の切り替え断路器。
【請求項３】
前記立刃、受刃、切り替え刃等からなる断路器単体を複数組配設して、各操作レバーを駆動手段により一度に切り替え操作可能とした請求項１又は２に記載の切り替え断路器。
【発明の詳細な説明】
【技術分野】
【０００１】
この発明は、切り替え刃を一対の受刃のいずれかへの通電経路に切り替えと、通電を断路できる切り替え断路器に関するものである。
【背景技術】
【０００２】
従来のこの種の切り替え刃を一対の受刃部のいずれかに切り替え時トグル機構を利用して加圧手段を働かせて拘持しうるものとして、双投型断路器があるが、これは立刃に基端を枢支した切り替え刃を対向して設けた一対の受刃部に切り替えるものである（特許文献１参照）。
【０００３】
【特許文献１】実用新案登録第１９５９９４２号
【発明の開示】
【発明が解決しようとする課題】
【０００４】
しかしながら、前記双投型断路器では、一対のトグル機構が導刃に枢支せる締付けレバーとトグルリンクとからなり、これを導刃の長手方向の中心線に対して対称位置に相互に動作が重なり合わない位置に備え、両トグル機構をトグルリンクを介して締付けレバーに同一軸芯上に係止ピンで係合連結し、一対のトグル機構を締付けレバーの前後に備えるので、構造が複雑であり、また複数の断路器を配列する場合には断路器全体の奥行きが長くなり、狭いスペースに設置できないという問題があった。従来、立刃と受刃を並列に配置して、立刃に枢支した切り替え刃を回動して受刃に切り替え接触しるようにしたものはなかった。
【０００５】
本発明は、上記問題点に鑑み、立刃を両側の受刃と並列に配置した場合、切り替え刃を一対の受刃のいずれかに切り替えトグル機構を利用して立刃と受刃に的確に圧接し、中立で断路可能とした切り替え断路器を提供することを目的としている。
【課題を解決するための手段】
【０００６】
上記問題点を解決するために、この発明の請求項１の切り替え断路器は、
中央の導電性立刃と、
その両側に並列に配置した一対の導電性受刃と、
前記立刃と両側の受刃の前後に接触可能な二枚の導電性刃体で、中央を前記立刃に回動自由に軸支するとともに操作レバーにより回動可能とした作動軸と協動可能に備えかつ両側を受刃に投入可能とした切り替え刃と、
前記切り替え刃は、前記立刃に軸支する作動軸に刃体を立刃に圧接するための付勢手段とカム手段とを備え、かつ両側の受刃に投入する位置に軸支した軸に切り替え刃との協動を保持及び解除可能なトグルリンクを備えた締付けレバーを軸支し、該軸に付勢手段と、該締付けレバーの回動時前記刃体を受刃に圧接可能なカム手段とを備えたものであり、
前記操作レバーと協動可能に設けた作動レバーに中心を軸支しかつ前記切り替え刃とほぼ平行として両端を両側の締付けレバーと連動可能に備えた連結部材と、
前記一対の受刃には切り替え刃の投入側のトグルリンクを衝接させて切り替え刃と締付けレバーとの協動を解除するためのストッパーとを備え、
操作レバーにより立刃を支点として前記切り替え刃を左右いずれかに回動して受刃に投入時、切り替え刃の中央部をカム手段で立刃に圧接すると同時に切り替え刃の受刃に投入する側のトグルリンクをストッパーで解除後締付けレバーだけを回動可能としてカム手段で切り替え刃を受刃に圧接可能としたことを特徴とする。
【０００７】
請求項２の発明は、請求項１の切り替え断路器において、前記トグルリンクは、一端が前記切り替え刃に支持ピンで枢支された第１トグルレバーと、
一端が前記第１トグルレバーの他端に折曲げ自由に結節され、かつ前記締付けレバーの一端に設けた作用ピンが摺動自由に挿入される所定長さの長孔を有する第２トグルレバーと、
前記切り替え刃に一端を保持しかつ他端を前記第１トグルレバーに掛けて常時元に戻す方向に付勢する付勢手段とを備えたものである。
【０００８】
請求項３の切り替え断路器は、前記請求項１又は２に記載の切り替え断路器において、前記立刃、受刃、切り替え刃等からなる断路器単体を複数組配設して、各操作レバーを駆動手段により一度に切り替え操作可能としたものである。
【０００９】
この発明の構造によれば、切り替え刃をいずれかの受刃に投入して接続する場合、操作レバーで作動軸を回動して切り替え刃が一方に回動される時、カム手段を働かせて切り替え刃の中央部が立刃に圧接されると同時に切り替え刃と協動するトグルリンクが受刃のストッパーに衝接して、締付けレバーと切り替え刃との協動が解除されて締付けレバーを自由とし、その後切り替え刃が受刃に嵌合した状態で、操作レバー、連結部材で締付けレバーだけを回動してカム手段を働かせ、付勢手段と相俟って切り替え刃を受刃に圧接保持させる。
切り替え刃を受刃より外して中立に戻すときは、操作レバーを逆に回すことにより連結部材で締付けレバーが元に戻され、カム手段による圧接が解除され、トグルリンクが付勢手段により元の状態に戻され、締付けレバーは切り替え刃と協動可能に保持されて中立位置に戻され、同時に切り替え刃の中央部もカム手段による圧接が解除されて回動可能とされる。切り替え刃を中立位置として受刃より外して断路して作業を行うことができる。
【発明の効果】
【００１０】
この発明によれば、一対の受刃と立刃を並列に配置した場合で、操作レバーの動作で切り替え刃を回動していずれかの受刃に投入する場合、切り替え刃の中央は立刃に強く圧接でき、かつ切り替え刃の一側を受刃に投入時にストッパーで切り替え刃とトグルリンクの協動を解除して締付けレバーだけを回動自由としてカム手段と付勢手段とが相俟って刃体を受刃に強く圧接させることができる。切り替え刃を切り替える際に立刃と受刃に同時に圧接できるので、定格電流が大電流となるに従って回路上で発生する短絡時の短絡電流は巨大となるが、これにも耐えることができる。切り替え刃を中立位置として受刃より外して断路して作業を行うことができる。
【００１１】
この発明によれば、第１トグルレバーは付勢手段で保持し、それに結節した第２トグルレバーに長孔を設け、該長孔に締付けレバーに設けた作用ピンを摺動自由に挿入してあるので、切り替え刃の一側では、トグルリンクが解除されると、締付けレバーが回動自由となり、第２トグルレバーが第１トグルレバーに対して結節点で折曲げられ、締付けレバーは連結部材で回動されて切り替え刃を受刃に圧接できる。
【００１２】
この発明によれば、複数組の断路器単体の各操作レバーを操作手段で一挙に操作して一度に複数の切り替え刃を受刃に投入又は離脱させることができるので便利であり、また断路器単体の構造が簡単になり、しかも、多数の断路器単体を設置した場合、切り替え断路器の奥行きを狭くできるので、狭いスペースに設置することができる。
【発明を実施するための最良の形態】
【００１３】
この発明を実施するための最良の形態を図に示す。図１はこの発明の切り替え断路器の正面図、図２は同側面図、図３は切り替え断路器の要部拡大正面図、図４はトグルリンクと締付けレバー部分の拡大正面図、図５は切り替え断路器の拡大背面図、図６は同拡大平面図、図７は切り替え刃を右側の受刃に嵌合保持した状態の正面図、図８は同側面図、図９は切り替え刃を左側の受刃に嵌合保持した状態の正面図である。
【００１４】
図１乃至図９に示すように、１は切り替え断路器の枠体であり、枠体１の上部中央に立刃２、受刃３、切り替え刃４等からなる断路器単体Ａを所定の間隔をおいて配列する。
２は板状の導電性立刃、３は板状の導電性受刃で、両側の導電性受刃３ａ、３ｂの中間に導電性立刃２が先端を受刃より下方に突出させて並列に配置されている。そしてその突出部に切り替え刃４の中央部を軸支して、切り替え刃４を左右に傾倒時若干上方に位置する受刃３に切り替え刃４の端部を投入できるように配置する。立刃と受刃の厚みは、二枚の切り替え刃４の間隔に挿入可能な厚みとする。立刃２、受刃３は枠体１に絶縁して備えられ、別経路で通電されていて、切り替え刃４を左側受刃３ａ、右側受刃３ｂのいずれか一方に切り替え接続することにより通電経路を変える。そして、切り替え刃４を中立位置にすることにより左右の受刃３と切り離して通電経路を断路するものである。
【００１５】
前記立刃２には、作動軸５が回動自由に軸支され、該作動軸５に切り替え刃４の中央が結合されて作動軸と切り替え刃４が協動可能に備えられ、該作動軸５の後端に操作レバー６の基端が枢支され、操作レバー６の先端部に昇降手段３２を枢支して昇降手段３２の昇降により操作レバー６を回動し、作動軸５、切り替え刃４が回動可能に設けられる。
【００１６】
前記受刃３には、下部を切り替え刃４の投入部とすると共にその前面下部に後述のトグルリンク１８を所定位置で衝接するストッパー７が設けられている。受刃３に固定した断面Ｌ型金属板８の先端中央にストッパー７としてボルト７ａが備えられ、そのボルトの頭部をストッパーとしてある。該金属板８は受刃３に切り替え刃４を傾倒して嵌合する角度と同じ傾斜角度にボルト等で固定され、切り替え刃４を投入時後述のトグルリンク１８がストッパー７に衝接するようにセットしてある。
【００１７】
４は、前記立刃２と両側の受刃３の前後に接触可能な二枚の長方形の導電性刃体４ａ、４ｂからなる切り替え刃で、前記立刃２に嵌合するとともに中央を前記作動軸５で回動自由に軸支して作動軸５と協動可能に備え、かつ両側を受刃３に投入可能とし、刃体４ａの前面両側には左右対称に締付け軸１６、締付けレバー１７、トグルリンク１８等が備えられる。４ｃは刃体４ａ、４ｂの内面に凸状に設けた接触面で、立刃と受刃に対応する位置に設けられている。前記切り替え刃４の刃体４ａ、４ｂには、立刃２と受刃３に接触させ易くするために内面の１又は複数の箇所に突出した凸面４ｃを形成することが好ましい。実施例では切り替え刃４の内面で作動軸５の両側に相当する位置に凸状接触面４ｃを設け、かつ切り替え刃４の両側内面の上部隅角で受刃３に嵌合する位置に縦横に凸状接触面４ｃを設けてカムによる締付け時に確実に接触させるようにしてある。
【００１８】
前記切り替え刃４の中央部を立刃２に圧接するための構造として、前記作動軸５には皿ばね等の付勢手段１０と、刃体を立刃に圧接するカム手段１１とが備えられている。
図に示す実施例では、作動軸５は立刃２に軸支する部分は丸軸として回転自由に軸支し、それ以外の操作レバー６と、切り替え刃４と、後述の作動レバー２５を備える部分は角軸５ｂとして作動軸と協動可能としてある。
作動軸５の付勢手段１０は、前面側刃体４ａとばね押さえ部材１２との間に一対の弾性皿ばね１０ａ、１０ｂを相対向して備え、かつ作動軸の端部の角軸を操作レバー６に嵌合固定し、弾性皿ばね１０で刃体を軸方向に軽く付勢して立刃２に対して軽く回動可能としてある。弾性皿ばね１０ａ、１０ｂを軸方向に圧縮できる範囲で後述のカム手段１１を押圧することができる。１３はナットである。
【００１９】
前記カム手段１１は、一対の金属製円盤状カム板で、テーパーカム１１ａ、１１ｂを刃体の外側に凹凸面を相対向して備え、軸端にナット１３等を螺合して止め、テーパーカム１１ａ、１１ｂのカム面の凹凸面を噛み合わせて押圧解除し、また、凸面同士を乗り合わせ（係合）て前記皿ばね１０の縮小可能な範囲で押圧して刃体４と受刃３の接触部を強力に圧接保持可能とする。実施例のカム１１ａ、１１ｂの対向面には、周面に複数の扇形状凸面、その両側に傾斜面を存して扇形状凹面を配列し、一方のカム１１ａは作動軸５に回転自由で刃体に固定的に備え、かつ他方のカム１１ｂは中心に角穴を設けて作動軸５の角軸部を嵌合固定し、作動軸５の回動時に固定側カム１１ａに対して可動側カム１１ｂを左右いずれかに回転するとカムの相対向する凸面が互いに重なり合ってカムの両端面の巾が最大となって押圧力を働かせることができ、逆に回してカムの凹凸面を相互に噛合状態とすると、カムの両端面の巾が最少となって押圧力が解除される。 
実施例では、後面刃体４ｂの背面と操作レバー６との間には前記カム手段１１の他に、カムの外周に別の付勢手段１５が備えられている。付勢手段１５としてつる巻きばねが、操作レバーと刃体間に軽く押圧状に備えられ、操作レバーを軽快に回動できるようにしてある。
【００２０】
前記立刃２に中央を軸支した切り替え刃４の両側には、前記受刃３ａ、３ｂに投入する位置に締付け軸１６を軸支し、該締付け軸１６に切り替え刃４との協動を保持及び解除可能なトグルリンク１８を備えた締付けレバー１７を軸支し、該締付け軸に付勢手段１９と、該締付けレバーの回動時前記刃体を受刃に圧接可能なカム手段２０とが備えられている。
前記切り替え刃４は幅広として、両側の上部を受刃３ａ、３ｂに嵌合可能とするとともに両側に軸支する締付け軸１６に備える後述のスペーサー２２が受刃３ａ、３ｂに当たらないようにする。
切り替え刃４の両側を受刃３ａ、３ｂに圧接するための構造として、刃体４ａ、４ｂの両側には受刃に投入する位置に軸支した締付け軸１６に締付けレバー１７を軸支し、該締付け軸１６に刃体を受刃に常時付勢する付勢手段１９と、該締付けレバーの回動時前記刃体を受刃に圧接するカム手段２０とが備えられている。
【００２１】
締付けレバー１７は三角形の金属製等の板体で、その頂部１７ａを締付け軸１６の端部の角軸に嵌合固定され、締付けレバー１７と刃体４の前面側との間に押さえ板２１と付勢手段１９が備えられる。実施形態では、締付けレバー１７は二等辺三角形とし、付勢手段１９は、一対の弾性皿ばね１９ａ、１９ｂを相対向させて備え、刃体に軽く付勢してある。弾性皿ばね１９ａ、１９ｂを軸方向に圧縮できる範囲で後述のカム手段２０を押圧することができる。締付け軸１６には二枚の刃体の間隔を保持するようにその間隔より若干幅狭のスペーサー２２を介在させてあり、後述のカム手段２０を働かせたときに二枚の刃体を接近させてスペーサー２２があるにかかわらず受刃に圧接可能としてある。２３はナットである。
前記締付け軸１６に軸支した二等辺三角形の締付けレバー１７には、その一端１７ｂに連結部材２４の端部が枢支されて連結され、その他端１７ｃに切り替え刃４との協動を保持及び解除可能なトグルリンク１８が関連して備えられている。前記締付けレバー１７の他端１７ｃには、切り替え刃４との協動を保持及び解除可能なトグルリンク１８を関連させて締付けレバー１７と切り替え刃との協動を保持するとき、トグル機構が利き、切り替え刃との協動を解除すると、トグル機構が利かなくなるように備える。前記締付けレバー１７の端部１７ｃにはトグルリンク１８を作用する作用ピン２８が備えられる。
【００２２】
図３、図４、図６乃至図９において、前記トグルリンク１８は、一端が前記切り替え刃４の中央側に備えた支持ピン２６に回動自由に枢支された第１トグルレバー１８ａと、前記作用ピン２８を摺動自由に挿入しうる内径で所定ストロークの長孔２９を有する第２トグルレバー１８ｂとからなり、前記第１トグルレバー１８ａの他端部と第２トグルレバー１８ｂの一端部とを結節ピン２７で相互に折曲げ自由に結節され（トグルレバー１８ａ、１８ｂの結節点）、かつ前記第１トグルレバー１８ａを常時元に戻す方向に付勢する付勢手段３０と、前記第１トグルレバー１８ａが元に戻る際に受け止める受け止めピン３１が備えられている。第２トグルレバー１８ｂには、第１トグルレバーとの結節点とは反対側に長手方向に長孔２９が設けられ、その長孔２９の幅は作用ピン２８の外径と同じとして締付けレバー１７を回す際に作用ピン２８で第２トグルレバーを円周方向に回動でき、かつ長孔のストロークは、締付けレバー１７を回す際に作用ピン２８が左端より右端或いは右端より左端に移動できる長さとする。また、前記付勢手段３０としてつるまきばねを用い、このばね３０を前記支持ピン２６に巻付けて保持し、一端を前記切り替え刃４の下部に設けた穴に掛止め、かつ他端を前記第１トグルレバー１８ａの上部に掛けて第１トグルレバー１８ａを元に戻す方向（図で下方）に押し下げてトグルリンクを逆への字とする。この状態で切り替え刃４と締付けレバー１７は協動状態に保持され（トグル機構が利いていることになる）、切り替え刃４は中立位置に戻される。第１トグルレバー１８ａはばね３０で元に戻す方向に付勢されるが、受け止めピン３１で第１トグルレバー１８ａの自由端側を受け止めるのが好ましい。受け止めピン３１は、切り替え刃４の両側の第１トグルレバー１８ａの自由端側の下方で、切り替え刃４が水平位置のとき、トグルリンクが逆への字の位置（両トグルレバーの結節点２７が支持ピン２６と作用ピン２８を結ぶ線より僅かに下方に下がった位置）で第１トグルレバー１８ａを受け止めできるように設ける。この受け止めピン３１の位置は、トグルリンク１８の結節点２７が下がりすぎるとトグル機構を反転しにくくなるので、少なくともトグル機構が機能できる位置とする。
切り替え刃４と締付けレバー１７との協動を保持する（トグルリンク機構を利かせる）ときは、第１トグルレバー１８ａと第２トグルレバー１８ｂとの結節点２７が作用ピン２８と支持ピン２６を結ぶ線より下方に下がり逆への字状（トグル機構を利かせる状態）となって締付けレバーと切り替え刃は一緒に回動され、前記協動を解除するときは、付勢手段３０により第１トグルレバー１８ａが下方へ付勢される力に抗して第２トグルレバー１８ｂの自由端が上昇してストッパー７に衝接させ、自由端がストッパーで阻止されると第２トグルレバー１８ｂは結節ピン側がてこ作用で跳ね上がり、第１トグルレバー１８ａと第２トグルレバー１８ｂとの結節点２７が作用ピン２８と支持ピン２６を結ぶ線より上方になり（結節点が死点を越える）への字状に屈折すると（トグル機構が利かなくなる状態）、締付けレバー１７と切り替え刃との協動が解除されて別動可能となり、それ以後は締付けレバー１７だけが連結部材２４により回動され、長孔２９に挿入されている作用ピン２８の円軌道に沿って第２トグルレバー１８ｂの自由端側が引き下げられる。
【００２３】
締付け軸１６の後端に備えるカム手段２０は、前記カム手段１１と同じ構造としてある。すなわち、テーパーカム２０ａ、２０ｂを刃体の外側にカム面を相対向して備え軸端にナット２３等を螺合して止め、テーパーカム２０ａ、２０ｂのカム面の凹凸面を噛み合わせて押圧力を解除し、凸面同士を乗り合わせ（係合）て前記皿ばね１９の縮小可能な範囲で加圧力を加え刃体４と受刃３の接触部を強力に圧接保持可能とされる。実施例のカム２０ａ、２０ｂの対向面には、周面に複数の扇形状凸面、その両側に傾斜面を存して扇形状凹面を配列し、一方のカム２０ａは締付け軸１６に回転自由で刃体に固定的に備え、かつ他方のカム２０ｂは中心に角穴を設けて締付け軸１６の角軸部を嵌合固定し、締付け軸１６の回動時に固定側カム２０ａに対して可動側カム２０ｂを回動可能として、カムの凹凸面が相互に噛合状態のとき、カムの両端面の巾が最少となり、カムを左右いずれかに回転するとカムの相対向する凸面が互いに重なり合ってカムの両端面の巾が最大となる。 
【００２４】
２５は前記作動軸５の前端に回転方向に固定的に設けた作動レバーで、操作レバー６と協動して回動可能とし、２４は、前記切り替え刃４と略同じ長さとした連結部材で、前記作動レバー２５に中心を枢支し前記切り替え刃４と略平行とし、連結部材２４の両端には前記締付けレバー１７の一端１７ｂが枢支されて連動可能に設けられる。
【００２５】
切り替え断路器の動作を説明する。
図１ないし図５に示すように、切り替え刃４が中立状態にあって、受刃３に嵌めていない場合を説明する。操作レバー６で作動レバー２５を中立位置（切り替え刃の長手方向に対して直交する方向）とし、切り替え刃４を水平状とし、左右の締付けレバー１７とトグルリンク１８は左右対称に位置している。このとき、両側の締付けレバー１７の後端のカム手段２０はカムによる押圧解除状態にあり、トグルリンク１８は切り替え刃４を協動可能状態に保持されている。切り替え刃４の中央部は付勢手段１５の付勢力がかけられている。即ち、トグルリンク１８の第１トグルレバー１８ａがばね３０により元に戻る方向に抑えられているので、第１と第２のトグルレバー１８ａ、１８ｂの結節点２７が作用ピン２８と支持ピン２６を結ぶ線より下方になって刃体に備えた受け止めピン３１の近くに下がり、逆への字に保持されている。このとき右側の作用ピン２８は第２トグルレバー１８ｂの長孔２９の左端に位置している。両側のトグルリンク１８で締付けレバー１７の一端が保持され、かつ締付けレバー１７の他端が作動軸５に設けた連結部材２４の両端に保持されているので、中立位置に安定して保持される。
【００２６】
次に、図７乃至図９に示すように、切り替え刃４をいずれか一方の受刃３に嵌合して圧接保持する場合について説明する。図５の状態から図７に示す切り替え刃４を反時計方向に回動して右側の受刃３ｂに投入する場合、操作レバー６の回動により作動軸５と切り替え刃４と共にカム手段１１が回動されて刃体の中央部と立刃２の接触面が押圧力で圧接されると共に、切り替え刃４、作動レバー２５、連結部材２４、左右の締付けレバー１７、トグルリンク１８はそのままの状態で回動され、トグルレバー１８ａと１８ｂとのピンによる結節点２７が作用ピン２８と支持ピン２６を結ぶ線より下方のままで第２トグルレバー１８ｂの自由端の上面が右側の受刃３ｂに設けたストッパー７に当たると、その自由端が止められる反動で第１トグルレバー１８ａの自由端がばね３０に抗して跳ね上げられ、第２トグルレバーと第１トグルレバーが逆への字状に屈折され切り替え刃４と締付けレバー１７との協動が解除され、締付けレバー１７が自由となる。その後、作動レバー２５を回して連結部材２４を介して締付けレバー１７を回動することにより、第２トグルレバー１８ｂがその長孔２９に挿入された作用ピン２８（このとき作用ピン２８は長孔２９の左端にある）の円軌道の運動により下方へ引き下げられ、同時に締付けレバー１７の回動で締付け軸１６を回しカム手段２０のカム板の凸面同士を乗り上げさせて切り替え刃４を軸方向に押圧し前記皿ばね１９の付勢力とにより受刃３ｂに圧接保持できる。
このとき切り替え刃４の左側は受刃３ａから外れた下方位置にあり、作動レバー２５の反時計回りの回動により連結部材２４で左側の締付けレバー１７も反時計方向に回され、カム手段も回されるが、トグルリンク１８はばね３０の作用で結節点２７が作用ピン２８と支持ピン２６を結ぶ線より下方のままの状態を保たれ、締付けレバー１７の作用ピン２８はトグルリンク１８の第２トグルレバー１８ｂの長孔２９の長手方向に沿って右端へ摺動するだけである。
【００２７】
図３、図４に示すように、右側を受刃３ｂに圧接保持した切り替え刃４を中立に戻して断路するときは、操作レバー６を時計方向に回動により作動軸５と切り替え刃４と共にカム手段１１が回動されて刃体の中央部と立刃２との押圧力が解除されると軽く回すことができると共に、連結部材２４で右側の締付けレバー１７を戻すことによりカム手段２０の凸面と凹面を噛み合わせて切り替え刃４を右側の受刃３ｂから離脱状態とし、同時に締付けレバー１７を時計方向に回すことにより作用ピン２８の円軌道に沿って第２トグルレバー１８ｂを上方へ移動し、第１トグルレバー１８ａはばね３０の作用で下方に付勢されているので、第１、第２のトグルレバーの結節点２７が作用ピン２８と支持ピン２６を結ぶ線より下方へ下げられると、切り替え刃４と締付けレバー１７が協動可能となり時計回りに回動されて中立位置に戻される。このとき右側の締付けレバー１７の作用ピン２８は長孔２９の左端にある。また、切り替え刃４の左側の締付けレバー１７も時計方向に回されるが、左側の締付けレバー１７の作用ピン２８は長孔２９に沿って右端へ摺動するだけでトグルリンクはそのままであり、締付けレバーと連動するカム手段は元に戻して中立に戻される。切り替え刃４は中立位置で断路される。
【００２８】
図９において、切り替え刃４を時計方向に回動して左側の受刃３ａに投入する場合、前記実施形態と同様で、切り替え刃４の中央部が立刃２にカム手段、皿ばねの作用で圧接されると共に切り替え刃４、作動レバー２５、連結部材２４、左右の締付けレバー１７、トグルリンク１８はそのままの状態で回動され、トグルリンク１８のトグルレバー１８ｂが左側の受刃３ａに設けたストッパー７に当たると、トグル機構が解除され、左側の締付けレバー１７が自由となり、さらに締付けレバー１７を作動レバー２５で回してカム手段２０を働かせて切り替え刃４を左側の受刃３ａに圧接保持させる。切り替え刃４を左側の受刃３ａより中立に戻すときも、前記実施形態の説明と同じである。
【００２９】
前記操作レバー６の先端に該操作レバーを昇降する昇降手段３２として、作動杆を枢支し、作動杆３２の昇降運動で操作レバー６の端部を昇降して操作レバー６を基端を中心として回動して作動軸５を回動させる。作動軸５の回動角度は、切り替え刃４を左右の受刃３に傾斜状に切り替えることができる角度とする。
機枠１に断路器単体Ａを複数組配設する場合、各断路器単体Ａの操作レバー６の各作動杆３２を昇降する構造として、図１および図２に示す実施例では、駆動装置３３で進退運動する連杆３４の先端が枠体１の他側の下部支持部３５に回動自由に備えた支持アーム３６の先端に枢支され、該支持アーム３６の支軸３７に備えた複数の作動アーム３８に各作動杆３２が連結され、駆動装置３３の駆動により各作動杆３２が昇降される。駆動装置３３は遠隔より制御可能とする。
立刃２と受刃３と切り替え刃４等で構成される断路器単体Ａを複数組配設して、各操作レバー６を遠隔より自動的に一度に切り替え操作可能とする。断路器単体Ａの各切り替え刃４の上部に連結杆３９を設け、全切り替え刃を同時に切り替えできるようにするのが好ましい。
【００３０】
図１、図３、図７及び図９において、前記立刃２に出没可能に備えた係止手段４０と、前記係止手段が突出係合する複数の係合凹部４６を有する位置決め手段４１とが備えらえている。図では係止手段の前面を外して内部を表してある。
係止手段４０を備えた取付部材４２が立刃２の中央の上部にボルトで固定されている。係止手段４０として、取付部材４２の上部板４２ａの中央に係止ピン４３を上下摺動自由に備え、係止ピン４３には先端寄りに鍔部４３ａを設け、上部板４２ａと鍔部４３ａとの間にばね４４を介在させて係止ピン４３を常時下方へ付勢して備え、係止ピン４３を出没可能とする。
位置決め手段４１は、立刃２とほぼ同じ幅で上面に円弧面４５ａを形成し、その円弧面４５ａの中央と左右対称位置に係合凹部４６が形成された位置決め用板体４５で、この板体４５が切り替え刃４の中央部前面上部にボルトで固定され、円弧面を前記立刃の係止手段４０に対向させ、切り替え刃４の回動時に位置決め手段４１の円弧面４５ａが係止手段４０の係止ピン４３をばねに抗して押し上げて回動され、切り替え刃の中立位置、右又は左の切り替え位置で係止ピン４３が係合凹部４６に突出して係止できる。
この構造とすれば、立刃２に備えた係止ピン４３に切り替え刃４に設けた位置決め用板体４５の左側、中央、右側の係合凹部４６を係合させて切り替え刃４を中立或いは左右いずれかに傾けた位置で保持でき、ズレを生じない。
【００３１】
この発明の構造によれば、切り替え刃４を中立位置からいずれかの受刃３に投入する場合、切り替え刃４はトグルリンク１８、締付けレバー１７、連結部材２４で保持されているので、操作レバー６で作動軸５をいずれかに回動すると切り替え刃４が一方に回動されてカム手段１１を回動してカムの凸面同士を乗り上げさせて刃体を軸方向に押圧し、付勢手段１０と相俟って切り替え刃４を立刃２に圧接保持すると同時に切り替え刃４と締付けレバー１７が協動して回動され、トグルリンク１８が受刃３のストッパー７に衝接し、締付けレバー１７と切り替え刃４との協動を解除すると締付けレバー１７が自由となり、その後切り替え刃４が受刃３に嵌合した状態で、操作レバー６、連結部材２４で締付けレバー１７だけが回動され、協動するカム手段２０のカムの凸面同士を乗り上げさせて刃体を軸方向に押圧し、付勢手段１９と相俟って切り替え刃４を受刃３に圧接保持させることができる。
切り替え刃４を受刃３より外して中立に戻すときは、操作レバー６を逆に回すことにより連結部材２４で締付けレバー１７が元に戻され、切り替え刃４の中央部と立刃、切り替え刃４と受刃とのカム等による押圧が解除されて、トグルリンク１８が付勢手段３０により元の状態に戻され、締付けレバー１７は切り替え刃４と協動可能に保持されて中立位置に戻される。切り替え刃を中立位置として、断路して作業を行う。
【００３２】
この発明の切り替え断路器は、遠隔操作により複数組の断路器の操作レバーを操作手段で一挙に操作して一度に各断路器の切り替え刃を受刃に投入又は離脱させることができ、便利で、安全に作業できる。各断路器を係止手段と位置決め手段の係合で中立位置或いは左右の受刃との嵌合位置に位置決めできるので、断路器の切り替えを正確に行うことができる。
【００３３】
上記実施形態を示したが、この発明はこの形態に限定されるものではなく、この発明の要旨を逸脱しない範囲において、様々な形態で実施できるものである。
【図面の簡単な説明】
【００３４】
【図１】この発明の切り替え断路器の正面図である。
【図２】同側面図である。
【図３】切り替え断路器の要部拡大正面図である。
【図４】トグルリンクと締付けレバー部分の拡大正面図である。
【図５】切り替え断路器の要部拡大背面図である。
【図６】同拡大平面図である。
【図７】切り替え刃を右側の受刃に嵌合保持した状態の正面図である。
【図８】同側面図である。
【図９】切り替え刃を左側の受刃に嵌合保持した状態の正面図である。
【符号の説明】
【００３５】
１  枠体
２  導電性立刃
３  導電性受刃
４  切り替え刃
５  作動軸
６  操作レバー
７  ストッパー
１０  付勢手段  
１１  カム手段
１６  締付け軸
１７  締付けレバー
１８  トグルリンク
１８ａ  第１トグルレバー
１８ｂ  第２トグルレバー
１９  付勢手段
２０  カム手段
２０ａ  テーパーカム
２０ｂ  テーパーカム
２４  連結部材
２５  作動レバー
２７  結節ピン
２８  作用ピン
２９  長孔
３０  付勢手段
３２  作動杆
３３  駆動装置
４０  係止手段
４１  位置決め手段
４３  係止ピン
４６  係合凹部
【図１】
2006236680.tif 000003
【図２】
2006236680.tif 000004
【図３】
2006236680.tif 000005
【図４】
2006236680.tif 000006
【図５】
2006236680.tif 000007
【図６】
2006236680.tif 000008
【図７】
2006236680.tif 000009
【図８】
2006236680.tif 000010
【図９】
2006236680.tif 000011